(57)【要約】【目的】パルス点灯される光源ランプの寿命を延ばすことが可能な光源装置を提供する。【構成】光源ランプと、この光源ランプを点灯及び消灯させる点灯制御手段と、光源ランプのランプ電圧を検出する電圧検出手段とを備えた光源装置において、上記点灯制御手段は、光源ランプを点灯させてからランプ電圧が所定電圧に達するまでは光源ランプのパルス点灯動作を禁止する。そして、ランプ電圧が所定電圧に達したときに光源ランプのパルス点灯動作を許容し、ランプ点灯状態が安定状態であるときに光源ランプのパルス点灯動作を開始させる。【選択図】  図６
2004342353.tif 000002
【特許請求の範囲】
【請求項１】
光源ランプと、
この光源ランプを点灯及び消灯させる点灯制御手段と、
前記光源ランプのランプ電圧を検出する電圧検出手段とを備え、
前記点灯制御手段は、前記光源ランプを点灯させてから前記ランプ電圧が所定電圧に達するまでは前記光源ランプのパルス点灯動作を禁止して、前記ランプ電圧が所定電圧に達したときに前記光源ランプのパルス点灯動作を許容することを特徴とする光源装置。
【請求項２】
請求項１記載の光源装置において、前記光源ランプのパルス点灯を開始させる所定電圧は、前記光源ランプの放電が安定状態にあるときのランプ電圧である光源装置。
【請求項３】
請求項１記載の光源装置において、前記光源ランプのパルス点灯を開始させる所定電圧は、前記光源ランプの定格電圧である光源装置。
【発明の詳細な説明】
【０００１】
【発明の技術分野】
本発明は、メタルハライドランプや水銀ランプ等のいわゆる高輝度放電ランプを用いた光源装置に関する。
【０００２】
【従来技術およびその問題点】
光源装置の光源ランプとしては、キセノンランプやハロゲンランプが多用されているが、低コストでありながら大光量が得られることから、メタルハライドランプや水銀ランプ等のいわゆる高輝度放電ランプを用いたものもある。高輝度放電ランプは、周知のように、点灯直後のランプ電圧が定格電圧の数分の１程度と低く、点灯から数十秒前後経過してからランプ内部の蒸気圧上昇に伴ってランプ電圧が急激に上昇して定格電圧に達し、該定格電圧で一定（安定状態）になるという電圧特性を有している。高輝度放電ランプのランプ電圧が定格電圧に達するまでの時間は、ランプ周辺部の温度やランプ電極の劣化具合に応じて増減する。
【０００３】
また、従来の光源装置では、特定期間だけ大光量を得たい場合に、光源ランプへの入力電流を増減させて光源ランプをパルス点灯させることが一般に行なわれている（特許文献参照）。パルス点灯時は、定格電流以上の大電流が光源ランプの電極間を流れる。よって、光源ランプとして上述の高輝度放電ランプが用いられている場合、光源ランプを点灯させた直後の不安定な状態でパルス点灯動作が開始されると、光源ランプの電極にかかる負荷が増大され、この結果、電極劣化により光源ランプの寿命が極端に短くなってしまう。また、光源ランプの電極が劣化すると、該電極間に加わる電圧が上昇しやすく、光源ランプが過電力入力状態になりやすい。
【０００４】
【特許文献】
特許第２７０２１６５号公報
【０００５】
【発明の目的】
本発明は、パルス点灯される光源ランプの寿命を延ばすことが可能な光源装置を提供することを目的とする。
【０００６】
【発明の概要】
本発明は、光源ランプが安定状態に達してからパルス点灯を開始させることにより、該光源ランプの電極劣化及びランプ電圧上昇を抑制し、そのランプ寿命を延長させるものである。
【０００７】
すなわち、本発明は、光源ランプと、この光源ランプを点灯及び消灯させる点灯制御手段と、光源ランプのランプ電圧を検出する電圧検出手段とを備え、点灯制御手段は、光源ランプを点灯させてからランプ電圧が所定電圧に達するまでは光源ランプのパルス点灯動作を禁止して、ランプ電圧が所定電圧に達したときに光源ランプのパルス点灯動作を許容することを特徴としている。
【０００８】
光源ランプのパルス点灯を開始させる所定電圧は、光源ランプの放電が安定状態にあるときのランプ電圧であることが好ましく、例えば光源ランプの定格電圧とすることが可能である。
【０００９】
光源ランプには、メタルハライドランプや水銀ランプなどの高輝度放電ランプを用いることができる。
【００１０】
【発明の実施の形態】
以下、図面に基づいて本発明を説明する。本明細書中では、図示した回路構成要素において、ロー（グランド）レベルの電圧を論理値“Ｌ”、ハイレベルの電圧を論理値“Ｈ”とする。
【００１１】
図１は、本発明の一実施形態による光源装置の主要構成を示すブロック図である。本光源装置１に備えられる光源ランプ２は、メタルハライドランプや水銀ランプ等のいわゆる高輝度放電ランプである。光源ランプ２は、図２に示すように外管となるランプバルブ２ａとランプバルブ２ａに嵌めた口金２ｂを備え、このランプバルブ２ａ内に、発光物質（水銀、アルゴンガス、金属ハロゲン化物質など）を封入した発光管や該発光管の両端に挿入した一対の放電電極などを収容している。この光源ランプ２は、口金２ｂを介してランプホルダ３に装着され、反射ミラー４と組み合わせて使用することができる。光源ランプ２から発せられた光は、反射ミラー４によって反射され、図２に示される集光ポイントＰに集められて外方に射出される。反射ミラー４はランプホルダ３に取り付けられている。
【００１２】
光源装置１は、装置全体の動作を総括する制御手段としてマイコン１０を備えている。マイコン１０には、スイッチ手段として、主電源をオン／オフ操作する電源スイッチＳＷＭと、光源ランプ２の点灯／消灯を操作するランプスイッチＳＷＬとが接続されている。この電源スイッチＳＷＭとランプスイッチＳＷＬは、光源装置１の外面の操作パネルに設けられている。マイコン１０は、電源スイッチＳＷＭのオンによりＡＣ／ＤＣ電源５から電力供給を受けて起動し、ランプスイッチＳＷＬのスイッチ状態を検知する。ＡＣ／ＤＣ電源５は、ＡＣ電源ラインＶの電圧を定電圧Ｖｍに変換し、この定電圧Ｖｍをマイコン１０に供給する。またマイコン１０には、光源ランプ２を点灯又は消灯させるランプ点灯用電源回路６と、パルス点灯制御用のランプ電流制御信号をＤ／Ａ変換してランプ点灯用電源回路６に出力するＤ／Ａ変換回路７とがそれぞれ接続されている。
【００１３】
図３は、ランプ点灯用電源回路６の回路構成の一例を示すブロック図である。ランプ点灯用電源回路６には、スイッチ部材ＳＷ、整流平滑回路６１、スイッチング回路６２、絶縁トランス６３、イグナイタ（始動器）６５、イグナイタ起動回路６６、電圧モニタ６７及びパルス点灯制御回路６８が備えられている。
【００１４】
スイッチ部材ＳＷは、マイコン１０から出力されるランプ点灯要求信号“Ｈ”“Ｌ”に応じて開閉する。マイコン１０は、ランプスイッチＳＷＬのスイッチ状態を検知し、ランプスイッチＳＷＬのオン状態ではランプ点灯要求信号“Ｈ”、オフ状態ではランプ点灯要求信号“Ｌ”を出力する。本実施形態では、ランプ点灯要求信号“Ｈ”が出力されたときに、スイッチ部材ＳＷが閉じてランプ点灯用電源回路６と光源ランプ２を電気的に接続し、ランプ点灯要求信号“Ｌ”が出力されたときに、スイッチ部材ＳＷが開いてランプ点灯用電源回路６と光源ランプ２の接続を遮断する。すなわち、ランプ点灯用電源回路６は、ランプ点灯要求信号“Ｈ”により動作開始し、ランプ点灯要求信号“Ｌ”により動作停止する。
【００１５】
整流平滑回路６１はＡＣ電源ラインＶに接続されていて、ＡＣ電源ラインＶからの電圧は整流平滑回路６１により整流された後、スイッチング回路６２を介して絶縁トランス６３の一次側へ供給される。
【００１６】
スイッチング回路６２はＤＣ／ＤＣコンバータとして機能するもので、このスイッチング回路６２の高速スイッチング動作により、絶縁トランス６３の二次側に高周波交流電圧が発生する。スイッチング回路６２は、主電源がオンされている間（ＡＣ電源ラインＶからの電圧が整流平滑回路６１を介して供給されている間）は常時スイッチング動作を行なう。より具体的には、光源ランプ２を通常点灯（一定光量で点灯）させる場合に図４（ｂ）の通常点灯用タイミングでスイッチング動作し、光源ランプ２をパルス点灯させる場合に図５（ｂ）のパルス点灯用タイミングでスイッチング動作する。パルス点灯用タイミングは、通常点灯用タイミングよりもオン時間が長く、オフ時間が短くなっている。
【００１７】
上記整流平滑回路６１、スイッチング回路６２及び絶縁トランス６３は、光源ランプ２への入力電流（ランプ電流Ｉｒ）を生じさせる安定化電源（スイッチング電源）として機能する。
【００１８】
イグナイタ６５は、絶縁トランス６３の二次側と光源ランプ２の負極側との間に接続されていて、イグナイタ起動回路６６を介して起動されると、光源ランプ２の放電電極間（正負電極間）に絶縁破壊を生じさせるパルス電圧を光源ランプ２の負極側に印加する。このパルス電圧印加により光源ランプ２の放電電極間に絶縁破壊が生じると、絶縁トランス６３側から電流（ランプ電流）が流れ出し、光源ランプ２が点灯（放電、発光）する。イグナイタ起動回路６６は、マイコン１０からランプ点灯要求信号“Ｈ”を入力したときイグナイタ６５を起動させる。
【００１９】
電圧モニタ６７は、光源ランプ２の放電電極間電圧をランプ電圧Ｖｒ’として常時検出し、該ランプ電圧Ｖｒ’が所定の基準電圧Ｖｒｅｆを超えたときに安定状態信号をマイコン１０に出力する。この電圧モニタ６７は、分圧器７０、コンパレータ７１、基準電源７２、ＡＮＤ素子７３、ランプ電流検出抵抗７４、トランジスタ７５及びフォトカプラ７６を備えている。
【００２０】
分圧器７０は、絶縁トランス６３の二次側及び光源ランプ２に対して並列に接続された２つの抵抗７０ａ、７０ｂから構成され、光源ランプ２のランプ電圧Ｖｒをランプ電圧Ｖｒ’として取り出す。このランプ電圧Ｖｒ’は、実際のランプ電圧Ｖｒの（１／Ｎ）倍（Ｎ；実数、Ｎ＞０）に相当する。コンパレータ７１は、＋側入力端子が分圧器７０の抵抗７０ａ、７０ｂ間（図３に示す位置Ａ）に接続され、−側入力端子が基準電源７２に接続されていて、＋側入力端子から入力したランプ電圧Ｖｒ’と−側入力端子から入力した基準電圧Ｖｒｅｆとを比較して該比較結果を出力する。基準電圧Ｖｒｅｆは、光源ランプ２の点灯状態が安定状態に達しているか否かを判断するための電圧値である。この基準電圧Ｖｒｅｆは、光源ランプ２の定格電圧値の（１／Ｎ）倍（Ｎ；実数、Ｎ＞０）に相当する。
【００２１】
ＡＮＤ素子７３は、コンパレータ７１の出力とランプ電流検出抵抗７４に発生した電圧との論理積を演算し、この演算結果をトランジスタ７５へ出力する。ランプ電流検出抵抗７４は、分圧器７０とイグナイタ６５の間に設けられていて、ランプ電流Ｉｒがこのランプ電流検出抵抗７４に流れることによって、該ランプ電流検出抵抗７４の両端に電圧が生じる。このランプ電流検出抵抗７４は、さらにマイコン１０に接続され、光源ランプ２の点灯状態又は消灯状態を示す点灯状態信号“Ｈ”、“Ｌ”をマイコン１０に出力する。すなわち、光源ランプ２が点灯しているときに、ランプ電流検出抵抗７４にランプ電流Ｉｒが流れて点灯状態信号“Ｈ”が出力され、光源ランプ２が消灯しているときに、ランプ電流検出抵抗７４にランプ電流Ｉｒが流れず、点灯状態信号は“Ｌ”となる。
【００２２】
トランジスタ７５は、ＡＮＤ素子７３の出力に応じてオンまたはオフし、このトランジスタ７５の出力に応じてフォトカプラ７６がオンまたはオフする。フォトカプラ７６の出力端はマイコン１０に接続されている。このフォトカプラ７６により電圧モニタ６７側とマイコン１０側は絶縁され、ＡＮＤ素子７３の出力が電気的に絶縁された状態でマイコン１０に伝達される。上述の安定状態信号はフォトカプラ７６の出力である。
【００２３】
本実施形態では、光源ランプ２が消灯しているとき、ランプ電流検出抵抗７４にランプ電流Ｉｒが流れず、ＡＮＤ素子７３にはランプ電流検出抵抗７４側から“Ｌ”が入力される。よって、ＡＮＤ素子７３の出力はコンパレータ７１側の入力にかかわらず“Ｌ”となり、トランジスタ７５及びフォトカプラ７６はオフ状態で保持される。この消灯状態から光源ランプ２が点灯すると、ランプ電流検出抵抗７４にランプ電流Ｉｒが流れ、分圧器７０を介してランプ電圧Ｖｒ’が検出される。このとき、ランプ電圧Ｖｒ’が基準電圧Ｖｒｅｆ未満であれば、ＡＮＤ素子７３にコンパレータ７１側から“Ｌ”、ランプ電流検出抵抗７４側から“Ｈ”が入力されるので、ＡＮＤ素子７３の出力は“Ｌ”であり、トランジスタ７５及びフォトカプラ７６はオフ状態で保持される。すなわち、安定状態信号は出力されない。
【００２４】
これに対し、ランプ電圧Ｖｒ’が基準電圧Ｖｒｅｆを超えていれば、ＡＮＤ素子７３にコンパレータ７１側から“Ｈ”、ランプ電流検出抵抗７４側から“Ｈ”が入力され、ＡＮＤ素子７３の出力は“Ｈ”となる。ＡＮＤ素子７３の出力が“Ｈ”になると、トランジスタ７５がオンし、フォトカプラ７６がオンして安定状態信号を出力する。フォトカプラ７６のオン状態の間は、該フォトカプラ７６からマイコン１０に安定状態信号が出力される。
【００２５】
パルス点灯制御回路６８は、Ｄ／Ａ変換回路７、スイッチング回路６２及び電流検出抵抗７４に接続されていて、Ｄ／Ａ変換回路７を介してマイコン１０から入力したランプ電流制御信号（ブーストタイミング信号）に基づき、光源ランプ２のパルス点灯動作を制御する。このパルス点灯制御回路６８としては例えば、＋側入力端子が電圧検出抵抗７４に接続され、−側入力端子がＤ／Ａ変換回路７の出力側に接続され、出力端子がスイッチング回路６２に接続されたコンパレータを用いることができる。
【００２６】
パルス点灯制御回路６８は、ランプ電流制御信号を入力していない場合（図４（ａ）に示すようにランプ電流制御信号が“Ｌ”である場合）、スイッチング回路６２のスイッチング動作に関与しない。このとき、スイッチング回路６２は図４（ｂ）に示す通常点灯用タイミングでスイッチング動作を行ない、光源ランプ２は図４（ｃ）に示すように一定光量で点灯（通常点灯）する。
【００２７】
パルス点灯制御回路６８は、通常点灯状態で図５（ａ）に示すランプ電流制御信号“Ｈ”を入力すると、ランプ電流制御信号“Ｈ”に同期させてスイッチング回路６２のスイッチング動作を制御する。すなわち、ランプ電流制御信号“Ｈ”を入力している期間だけスイッチング回路６２のオン時間を延長させる。これにより、スイッチング回路６２は、図５（ｂ）のパルス点灯用タイミングでスイッチング動作を行ない、この結果、図５（ｃ）に示されるようにランプ電流Ｉｒが増減して光源ランプ２はパルス点灯する。
【００２８】
本実施形態では、図４及び図５に示すように、入力したランプ電流制御信号“Ｈ”の電圧値（Ｖ）と、スイッチング回路６２のスイッチング動作により得られるランプ電流値（Ａ）とがそれぞれ１：１で対応するように、パルス点灯制御回路６８がスイッチング回路６２のスイッチング動作を制御している。このスイッチング制御動作は、光源ランプ２が点灯している間、継続される。
【００２９】
そして、光源ランプ２が消灯されると（点灯状態信号“Ｌ”を入力すると）、パルス点灯制御回路６８はスイッチング回路６２のスイッチング動作を開放する。これにより、スイッチング回路６２は、図４（ｂ）に示す通常点灯用タイミングでスイッチング動作を継続する。
【００３０】
以上の全体構成を有する光源装置１は、光源ランプ２の通常点灯を開始させたらランプ点灯状態が安定状態に移行するまで（ランプ電圧が基準電圧に達するまで）待機し、光源ランプ２のパルス点灯を禁止する。そして、ランプ点灯状態が安定状態に達してから光源ランプ２のパルス点灯を許可し、安定状態で光源ランプ２のパルス点灯を開始させる。具体的にマイコン１０は、電圧モニタ６７からランプ電圧検出信号が出力されるまで待機し、ランプ電圧検出信号を検知したらパルス点灯制御用のランプ電流制御信号をパルス点灯制御回路６８へ出力する。光源ランプ２が安定状態に達してからパルス点灯が開始されれば、安定状態に達する前にパルス点灯させた場合よりも光源ランプ２の電極に加わる負荷が抑えられ、電極劣化による光源ランプ２の短寿命化が緩和される。
【００３１】
次に、図６を参照して、光源装置１の使用方法について説明する。
【００３２】
先ず、使用者は、電源スイッチＳＷＭをオンする（Ｓ１）。すると、外部ＡＣ電源に接続された電源ラインＶから電源供給が開始され、ＡＣ／ＤＣ電源５からの定電圧Ｖｍを受けてマイコン１０が起動すると共に、スイッチング回路６２が通常点灯用タイミングでスイッチング動作を開始する。スイッチング回路６２のスイッチング動作により、絶縁トランス６３の２次側には高周波交流電圧が発生する。マイコン１０が起動してからランプスイッチＳＷＬがオンされるまでの初期状態では、ランプ点灯要求信号、点灯状態信号、安定状態信号及びランプ電流制御信号がいずれも“Ｌ”となっており、ランプ点灯用電源回路６のスイッチ部材ＳＷは開いている。
【００３３】
次に、使用者は、ランプスイッチＳＷＬをオンする（Ｓ３）。すると、マイコン１０がランプ点灯要求信号を“Ｌ”から“Ｈ”に切り換え（Ｓ５）、このランプ点灯要求信号“Ｈ”により、スイッチ部材ＳＷが閉じて光源ランプ２とランプ点灯用電源回路６が接続され、該ランプ点灯用電源回路６が起動する（Ｓ７）。これと同時に、ランプ点灯用電源回路６のイグナイタ起動回路６６がイグナイタ６５を起動させ、起動したイグナイタ６５によって、光源ランプ２の放電電極間に絶縁破壊を生じさせる高電圧パルスが光源ランプ２の負極側に印加される。この高電圧パルス印加により、光源ランプ２の放電電極間に絶縁破壊が生じて、絶縁トランス６３側から電流（ランプ電流Ｉｒ）が光源ランプ２の放電電極間を流れ、光源ランプ２の通常点灯が開始される（Ｓ９）。
【００３４】
光源ランプ２が通常点灯を開始すると、ランプ電流Ｉｒの一部がランプ電流検出抵抗７４を流れ、該ランプ電流検出抵抗７４からマイコン１０及びパルス点灯制御回路６８に点灯状態信号“Ｈ”が出力される（Ｓ１１）。また、光源ランプ２及びその周辺部の温度が上昇し、この温度上昇に伴って光源ランプ２のランプ電圧Ｖｒも徐々に上昇する。光源ランプ２の通常点灯中、電圧モニタ６７は、光源ランプ２のランプ電圧Ｖｒをランプ電圧Ｖｒ’として常時検出する。そして、検出したランプ電圧Ｖｒ’と光源ランプ２の点灯状態が安定状態に達しているか否かを判断するための基準電圧Ｖｒｅｆとを比較し（Ｓ１３）、ランプ電圧Ｖｒ’が基準電圧Ｖｒｅｆに達するまで待機する。（Ｓ１３；Ｎ）。この待機中は、ＡＮＤ素子７３の出力が“Ｌ”となり、トランジスタ７５及びフォトカプラ７６はオフ状態で保持され、マイコン１０には何も出力されない。
【００３５】
そして、ランプ電圧Ｖｒ’が基準電圧Ｖｒｅｆに達したら（Ｓ１３；Ｙ）、ＡＮＤ素子７３の出力が“Ｈ”となり、トランジスタ７５及びフォトカプラ７６がオンして、該フォトカプラ７６から、光源ランプ２が安定状態に達したことを示す安定状態信号がマイコン１０へ出力される（Ｓ１５）。マイコン１０は、ランプ電圧検出信号を検知し（Ｓ１７）、ランプ電流制御信号を出力する（Ｓ１９）。ランプ電流制御信号は、Ｄ／Ａ変換回路７にてアナログ信号に変換された後、ランプ点灯用電源回路６のパルス点灯制御回路６８へ出力される。パルス点灯制御回路６８は、点灯状態信号“Ｈ”を入力している状態でさらにランプ電流制御信号を入力すると、該ランプ電流制御信号に同期してスイッチング回路６２のオン時間を長くさせる。これにより、スイッチング回路６２は、通常点灯用タイミングよりもオン時間が長いパルス点灯用タイミングでスイッチング動作を行なう。このスイッチング動作により、ランプ電流Ｉｒが増減して光源ランプ２の点灯状態が通常点灯からパルス点灯に切り換わる（Ｓ２１）。
【００３６】
光源ランプ２のパルス点灯は、ランプスイッチＳＷＬがオフされるまで続行される（Ｓ２３；Ｎ）。使用者は、所望時間だけ光源ランプ２をパルス点灯させたら、ランプスイッチＳＷＬをオフする。ランプスイッチＳＷＬがオフされると（Ｓ２３；Ｙ）、マイコン１０がランプ点灯要求信号を“Ｈ”から“Ｌ”に切り換える（Ｓ２５）。ランプ点灯要求信号が“Ｌ”になると、スイッチ部材ＳＷが開いて光源ランプ２とランプ点灯用電源回路６の間が開放され、光源ランプ２の放電が停止する（Ｓ２７）。すなわち、光源ランプ２が消灯する。これにより、ランプ電流Ｉｒはランプ電流検出抵抗７４を流れなくなり、点灯状態信号も“Ｈ”から“Ｌ”に切り換わる。また点灯状態信号が“Ｌ”になると、パルス点灯制御回路６８がスイッチング回路６２のスイッチング動作を開放し、スイッチング回路６２は通常点灯用タイミングでスイッチング動作を継続する。
【００３７】
以上のように本実施形態では、光源ランプ２の点灯状態が安定状態に移行した後に光源ランプ２のパルス点灯が開始されるので、パルス点灯時に光源ランプ２の電極に加わる負荷を最小限に抑えることができる。これにより、光源ランプ２の電極劣化が軽減され、光源ランプ２の寿命を延ばすことができる。また電極劣化が軽減されれば、光源ランプ２のランプ電圧が上昇する速度も抑えられるので、パルス点灯開始時にランプ電圧が急上昇して光源ランプ２を過電力入力状態にさせてしまう虞もなくなる。
【００３８】
また本実施形態では、電圧モニタ６７によって光源ランプ２のランプ電圧Ｖｒ’を常時検出し、検出したランプ電圧Ｖｒ’に基づき光源ランプ２の点灯状態が安定状態に達しているか否かを検知しているので、ランプ周辺部の温度やランプ電極の劣化具合などに応じて光源ランプ２が安定状態に達するまでの時間が変動しても、光源ランプ２が安定状態に達したことを確実に検知可能である。
【００３９】
以上の本実施形態では、光源ランプ２の点灯状態が安定状態に達しているか否かを判断する閾値である基準電圧Ｖｒｅｆに、光源ランプ２の定格電圧を設定してあるが、定格電圧の８割ないし９割に相当する電圧を基準電圧Ｖｒｅｆとしてもよい。
【００４０】
【発明の効果】
本発明の光源装置によれば、光源ランプの通常点灯を開始させたらランプ点灯状態が安定状態に移行するまで光源ランプのパルス点灯動作を禁止して、安定状態に達してから光源ランプのパルス点灯動作を許容するので、光源ランプのパルス点灯動作は必ず安定状態で開始される。これにより、パルス点灯時に光源ランプの電極に加わる負荷を最小限に抑えることができる。つまり、光源ランプの電極劣化が抑えられ、該光源ランプの寿命が延びると共に、光源ランプが過電力入力状態になりにくくなる。
【図面の簡単な説明】
【図１】本発明による光源装置の主要構成を示すブロック図である。
【図２】図１に示す光源ランプを示す模式図である。
【図３】図１に示すランプ点灯用電源回路の具体的構成を示すブロック図である。
【図４】光源ランプを通常点灯させている場合のタイミングチャートであり、（ａ）ランプ電流制御信号、（ｂ）スイッチング回路のスイッチング動作、（ｃ）光源ランプの光量（ランプ電流）をそれぞれ示している。
【図５】光源ランプをパルス点灯させている場合のタイミングチャートであり、（ａ）ランプ電流制御信号、（ｂ）スイッチング回路のスイッチング動作、（ｃ）光源ランプの光量（ランプ電流）をそれぞれ示している。
【図６】図１に示す光源装置の点灯動作の流れを説明するフローチャートである。
【符号の説明】
１  光源装置
２  光源ランプ
５  ＡＣ／ＤＣ電源
６  ランプ点灯用電源回路
７  Ｄ／Ａ変換回路
１０  マイコン
６１  整流平滑回路
６２  スイッチング回路
６３  絶縁トランス
６５  イグナイタ
６６  イグナイタ起動回路
６７  電圧モニタ
６８  パルス点灯制御回路
７０  分圧器
７１  コンパレータ
７２  基準電源
７３  ＡＮＤ素子
７４  ランプ電流検出抵抗
７５  トランジスタ
７６  フォトカプラ
【図１】
2004342353.tif 000003
【図２】
2004342353.tif 000004
【図３】
2004342353.tif 000005
【図４】
2004342353.tif 000006
【図５】
2004342353.tif 000007
【図６】
2004342353.tif 000008